(57)【特許請求の範囲】
【請求項１】
ベッド部と、その後側端部に枢着されて壁面に装着可能な被取着腕部と、この被取着腕部と上記ベッド部との間にあって、ベッド部に被取着腕部を平伏重装状態となるように付勢する付勢手段とが連装され、当該付勢手段はベッド部の後側端部に設けた受承体と、この受承体と摺動自在に押当する摺動子と、当該摺動子が摺動自在に内嵌されている前記の被取着腕部に設けられた案内筒と、上記摺動子と案内筒の上位止部間に収納した弾性体とからなり、ベッド部が壁面に添装の不使用起立状態にあっては、前記の弾性体により弾圧の摺動子が案内筒の下端口から突出状態にて前記したベッド部の受承体に押当し、ベッド部が前方へ回動降下して壁面に直交状配置となる使用横臥状態にあっては、上記受承体により押圧された摺動子により前記弾性体が圧縮状態となるよう構成されていることを特徴とする収納式幼児用ベッドにおけるベッド回動構成体。
【請求項２】
ベッド部と、その後側端部に枢着されて壁面に装着可能な被取着腕部と、この被取着腕部と上記ベッド部との間にあって、ベッド部に被取着腕部を平伏重装状態となるように付勢する付勢手段とが連装され、当該付勢手段はベッド部の後側端部に設けた受承体と、この受承体と摺動自在に押当する摺動子と、当該摺動子が摺動自在に内嵌されている前記の被取着腕部に設けられた案内筒と、上記摺動子と案内筒の上位止部間に収納した弾性体とからなり、ベッド部が壁面に添装の不使用起立状態にあっては、前記の弾性体により弾圧の摺動子が案内筒の下端口から突出状態にて前記したベッド部の受承体に押当し、ベッド部が前方へ回動降下して壁面に直交状配置となる使用横臥状態にあっては、上記受承体により押圧された摺動子により前記弾性体が圧縮状態となり、この付勢手段における受承体が、ベッド部の前記使用横臥状態の保持用であるストッパ部の形成された前記の後側端部を、被取着腕部に枢着する横向軸杆と平行状態となるよう突設されていると共に、受承体には前記摺動子の先端に押当摺接する外周弧面が形成され、かつ前記案内筒に穿設した一対の案内溝条に、摺動子から突設された案内止め螺杆を昇降動自在に係嵌することにより、当該摺動子が案内筒から所要長だけ延出自在であることを特徴とする収納式幼児用ベッドにおけるベッド回動構成体。
【発明の詳細な説明】
【０００１】
【発明の属する技術分野】
本発明は公共施設等の洗面所などにあって、その壁面に起立状態で設置されたベッド部を、必要に応じ前倒しにして横臥状態とした後、当該ベッド部上にあって乳幼児のおむつ交換等の用に供する収納式幼児用ベッドにおけるベッド回動構成体に関する。
【０００２】
【従来の技術】
収納式幼児用ベッドとしては、既に各種のものが開示されているが、これらは図７に例示（実用新案登録第２５８２３９３号公報）の如く、壁面Ｗに取着したベース部ａと、その下端部ｂにヒンジｃを介して上下方向へ回動自在なるよう枢支したベッド部ｄとを具備していると共に、当該ベッド部ｄの後側端部と、上記ベース部ａに固設の枢支ブラケットｅとの間に、ガススプリングｆなどによる付勢手段を夫々の枢支部ｇ、ｈによって連枢するよう構成されている。
そして、上記ガススプリングｆは、ベッド部ｄが実線で示した使用横臥状態Ｘから、仮想線で示す不使用起立状態Ｙ方向に付勢するよう設けられ、かくしてベッド部ｄは当該不使用起立状態Ｙで保持されており、これを矢印Ｒ方向へ引き下すことで緩除に回動降下し、ベッド部ｄがベース部ａの図示されていないストッパに衝当することで、当該ベッド部ｄが前記の使用横臥状態で停止することになる。
さらにおむつの交換などが終われば、ベッド部ｄを矢印Ｒの反対方向へ回動上昇させるようにすることで、この際ガススプリングｆにより軽い力で当該ベッド部ｄを不使用起立状態に復動させ得ると共に、この状態が保持されることとなる。
【０００３】
【発明が解決しようとする課題】
従来の収納式幼児用ベッドによるときは、上記のように構成され、そのベッド部ｄとベース部ａとはヒンジｃで枢支され、かつ当該両者ｄ、ａはガススプリングｆによって連枢されていることから、これを壁面Ｗにボルト、ナット、締着螺子などによって取着する際には、可成りの重量を有する当該収納式幼児用ベッドを持ち上げ状態にして保持し、しかもベッド部ｄとヒンジ部ｃとはガススプリングｆの付勢力に抗して、引き離しの状態に保持しておかねばならない。
このため、上記の取り付け工事に難渋することとなり、多大の労力を費やさねばならないだけでなく、工事に可成りの時間を要し、またその取り外し工事を行う場合にも、これまた可成りの労力と時間をかけることになる。
【０００４】
本発明は上記従来の難点に鑑み壁面に対して軽量小型な取着部を取着するだけで事が足りるようにした収納式幼児用ベッドにあって、その一構成部材としてのベッド回転構成体に関し、その請求項１ではこれをベッド部とこれに枢着した被取着腕部と、当該両部間に連枢した任意の付勢手段とによって形成するようにし、しかもベッド部と被取着腕部との間に設けられた付勢手段について、単なるスプリングを用いた前記従来品に比し、耐久性とか安定な作動性の確保を図り、またガススプリングを使用することで高価となる欠陥を解消するため、被取着腕部に設けた案内筒に内装の弾性体により、摺動子を案内筒から突出自在とし、この摺動子がベッド部の後側端部に設けた受承体に押当するよう構成するようにしている。
【０００５】
さらに請求項２にあっては、上記請求項１の構成に付加してベッド部の後側端部にストッパ部を設けて、これを被取着腕部に押当自在とすることにより、ベッド部の使用横臥状態を自ら保持できるようにすると共に、上記後側端部を被取着腕部に枢着した横向軸杆と、同上後側端部に設けられた受承体とを平行状態とし、当該受承体には被取着腕部における摺動子の先端に押当摺接する外周弧面を形成して、耐久性と故障の発生につき従来のスプリングによる付勢手段の欠陥を是正し、さらに摺動子に突設の案内螺杆を付勢手段の案内筒に設けた案内溝孔に係嵌することで、摺動子の不本意な延出を阻止し得るようにしている。
【０００６】
【課題を解決するための手段】
本発明は、上記の目的を達成するため請求項１に示す通り、ベッド部と、その後側端部に枢着されて壁面に装着可能な被取着腕部と、この被取着腕部と上記ベッド部との間にあって、ベッド部に被取着腕部を平伏重装状態となるように付勢する付勢手段とが連装され、当該付勢手段はベッド部の後側端部に設けた受承体と、この受承体と摺動自在に押当する摺動子と、当該摺動子が摺動自在に内嵌されている前記の被取着腕部に設けられた案内筒と、上記摺動子と案内筒の上位止部間に収納した弾性体とからなり、ベッド部が壁面に添装の不使用起立状態にあっては、前記の弾性体により弾圧の摺動子が案内筒の下端口から突出状態にて前記したベッド部の受承体に押当し、ベッド部が前方へ回動降下して壁面に直交状配置となる使用横臥状態にあっては、上記受承体により押圧された摺動子により前記弾性体が圧縮状態となるよう構成されていることを特徴とする収納式幼児用ベッドにおけるベッド回動構成体を提供しようとしている。
【０００７】
さらに請求項２にあっては、上記請求項１に対する付加構成として付勢手段における受承体が、ベッド部の前記使用横臥状態の保持用であるストッパ部の形成された前記の後側端部を、被取着腕部に枢着する横向軸杆と平行状態となるよう突設されていると共に、受承体には前記摺動子の先端に押当摺接する外周弧面が形成され、かつ前記案内筒に穿設した一対の案内溝条に、摺動子から突設された案内止め螺杆を昇降動自在に係嵌することにより、当該摺動子が案内筒から所要長だけ延出自在としたことを、その内容としている。
【０００８】
【発明の実施の形態】
本願に係る請求項１につき図１ないし図８によって以下詳記すると、収納式幼児用ベッドは壁面Ｗに装着される取着部１とこの取着部１に係止可能としたベッド回動構成体２とからなっている。
ここで上記取着部１には、図２と図７（Ａ）の壁面Ｗへの取着状態を示す夫々斜視図と正面図に例示されている通り、所要数の係止部１ａ、１ｂ、１ｃが設けられており、もちろん図１、図８に開示の如く壁面Ｗから突設した取着螺杆１ｄやナット１ｅ、そして締着螺子１ｆなどを用いることで壁面Ｗにしっかりと固定することになり、当該取着部１は比較的軽量小型のものであるから、簡易迅速な取着工事が可能となる。
【０００９】
次に本発明に係る上記のベッド回動構成体２につき説示すると、これは図１ないし図８によって理解される通り、ベッド部３と被取着腕部４と付勢手段５とによって構成されている。ベッド部３の後側端部３ａにあって、壁面Ｗと平行に固設の横向軸杆３ｂには、被取着腕部４の基端部４ａが、ベッド部３に対して略９０゜だけ回動自在なるよう軸承されている。さらにベッド部３の後側端部３ａと被取着腕部４との間には、図１（Ａ）、図６の通り被取着腕部４がベッド部３に対して、平伏重装状態となるように付勢する付勢手段５が連装されている。
【００１０】
上記した付勢手段５は、これによってベッド部３が壁面Ｗに添装の図１（Ａ）の如き不使用起立状態Ｙを保持し得ると共に、当該ベッド部３が前方へ矢印Ｒのように横向軸杆３ｂを中心として回動降下して、壁面Ｗに直交状配置となる使用横臥状態Ｘを保持することができる。
そして後述する請求項２にあっては、図示の如く上記の使用横臥状態Ｘを保持するため、ベッド部３の後側端部３ａにあって突設のストッパ部３ｃに、被取着腕部４の下端縁４ｂが衝当するよう構成されている。
【００１１】
さらに、上記被取着腕部４には被係止部４Ａが設けられており、図１、図５、図６等に例示のものは、上下配置にて係止用口４ｃ、４ｄを被押当縦板４ｅに開設することで、当該係止用口４ｃ、４ｄの上縁板部に被係止部４Ａとしての役割をもたせるようにしている。
すなわち、図示の収納式幼児用ベッドによるときは、図８のように先ず軽量小形な取着部１を壁面Ｗに取着したならば、次にベッド回動構成体２を図示の如き折り畳みの立装状態のままで、仮想線Ｌのように操作し、係止用口４ｃ、４ｄに前記した係止部１ａ、１ｂ、１ｃを挿通降下させるだけで、係止部１ａ、１ｂ、１ｃに対して被係止部４Ａが係止されることになり、従って簡易迅速に図１（Ａ）の如き使用可能状態とすることができる。
【００１２】
また上記の収納式幼児用ベッドについては、係止部１ａ、１ｂ、１ｃと被係止部４Ａとの係止構成に関して別例が図示されており、これによるときは前記した取着部１における押当縦板１ｇに対し、係嵌間隙１ｈを介して上向きに係止舌片としての係止部１ａ、１ｂ、１ｃが突設されており、さらにベッド回動構成体２の被取着腕部４における被押当縦板４ｅに、前説の係止用口４ｃ、４ｄが開設されることで被係止部４Ａを構成し、前記の係止部１ａ、１ｂ、１ｃに被係止部４Ａを係止することによって、被押当縦板４ｅを押当縦板１ｇに対して押当させ得るようにしている。
【００１３】
ここで、さらに図７（Ａ）を参照して詳記すると、ここに例示の取着部１は、上下に横向立上縁部１ｉを設けた横向取着板１ｊと、その左右両端にあって直交状に固着した前記の押当縦板１ｇとを具備している。この押当縦板１ｇの左右には、これまた前方へ立ち上げた縦向立上縁部１ｋが設けられていると共に、当該縦向立上縁部１ｋと面一の状態で延設した後述の固定用舌片１ｍが設けられている。
前説の係止部１ａ、１ｂ、１ｃである係止舌片は、何れも押当縦板１ｇから切り出して曲折することにより形成されていると共に、当該係止舌片は上方に向けて壁面Ｗから離反する方向で延出されている。
従って前記の係嵌間隙１ｈが下向きに鋭角状となっていることから、前説の如く係止部１ａ、１ｂ、１ｃに被係止部４Ａを係止する際、係嵌させ易く、しかも係止状態では前後の方向へのがたつきがない係止状態を保有し得ることになる。
【００１４】
また、上記した係止状態にあっては、取着部１の縦向立上縁部１ｋ間にあって、被取着腕部４の被押当縦板４ｅにおける左右から、図５に明示の如く前方へ突設した係嵌用縦向立上縁部４ｆが嵌合当接することで、取着部１に対するベッド回動構成体２の不本意な横振れが阻止されるようにしている。ここで図４ないし図６にあっては、図１、図８に開示されているベッド部３の床板部３ｄが取り外された状態を示しており、図４ないし図６の３ｅはベッド部３のリブ、３ｆは上記床板部３ｄを固定するためのビス止め螺孔、３ｇは横向軸杆３ｂの両端を固設するためベッド部３の後側端部３ａに固設した軸承固定部を示す。
【００１５】
さらに上記の如き係止部１ａ、１ｂ、１ｃに被係止部４Ａを係止させるだけに止まらず、図７（Ｂ）に示す如き長方形状の固定用板１ｎを用意しておき、これには長手方向である左右両端に取付用孔１ｐを対設しておくと共に、その中間には図２によって理解される通り、被取着部４と取着部１とを隠蔽してしまうために用いられるカバー６が、当該カバー６の取付孔６ａから挿入の図示しないビスによって取着できるように、固定用螺孔１ｑが刻設されている。
そして前記の取着部１に設けられている押当縦板１ｇから起立させた一対の縦向立上縁部１ｋからは、固定用板１ｍが外側へ延設されると共に、これら固定用舌片１ｍには夫々締着螺孔１ｒが設けられている。そして当該固定用舌片１ｍには固定用板１ｎを跨装重積した状態で、図１に示されているビス１ｓを取付用孔１ｐから挿通して締着螺孔１ｒに螺着することで、固定用板１ｎを取着部１に固定させるのである。
この際、上記固定用板１ｎは図１と図８に明示の如く、被取着腕部４における係嵌用縦向立上縁部４ｆの自由端側に形成した抜け止め用欠設部４ｇに押当させた状態で固定される。
この結果図示例では固定用板１ｎの板面が、抜け止め用欠設部４ｇの図８に明示の縦縁部４ｂに押当されると共に、横縁部４ｉが固定用板１ｎの下端縁と当接状態となり、被取着腕部４は、取着部１に対して固定されると共に脱落の心配をも解消し得ることになる。
このようにすることで、取着部１に対して係止状態となっているベッド回動構成体２は、係止部１ａ、１ｂ、１ｃに対して固定状態となることから、不本意に左右へスライドしたり、上下に動揺してしまうことも阻止され、図示のように係止部１ａが前記の如き傾斜状態となるよう延出している場合には、その係止状態に対する信頼性がより確実なものとなる。
【００１６】
ここで、請求項１に係るベッド回動構成体２における付勢手段５につき詳記すると、図１ないし図６を参照して、これはベッド部３の後側端部３ａに固設されている受承体３ｈと、この受承体３ｈに対して摺動自在なるよう押当している摺動子５ａと、この摺動子５ａが摺動自在なるよう内嵌されている前記被取着腕部４に設けられた案内筒５ｂと、同上摺動子５ａと案内筒５ｂの上位止部５ｃとの間にあって収納されているコイルスプリング等による弾性体５ｄとによって構成されている。
そして図１（Ａ）の如くベッド部３が壁面Ｗに添装されている前記の不使用起立状態Ｙでは、上記弾性体５ｄによって弾圧されることとなる摺動子５ａが、案内筒５ｂの下端口５ｅから可成りの長さで突出状態となって上記の受承体３ｈに押当している。そして前説の如くベッド部３が矢印Ｒのように前方へ回動降下させることで、壁面Ｗに直交状配置状態となる前記の使用横臥状態Ｘとなれば、受承体３ｈの回動変移により案内筒５ｂ内へ押し込まれた摺動子５ａによって、弾性体５ｄが図１（Ｂ）の如く可成りの圧縮状態となるよう構成されている。
【００１７】
さらに請求項２では上記した請求項１の構成に加えて、その付勢手段５に関し前記の受承体３ｈは図１、図３、図４、図５により理解されるように、ストッパ部３ｃの形成された曲板部３ｉが、図示例ではビス３ｊにより後側端部３ａにあって固設され、この曲板部３ｉにおいて横向軸杆３ｂと平行状態となるよう突設されているのであり、当該受承体３ｈには前記摺動子５ａの先端が押当する外周弧面３ｋが形成されている。
そして上記の摺動子５ａは図示例の場合、合成樹脂製で角棒状に形成され、これが角パイプ状の案内筒５ｂに出入り自在なるよう嵌装されており、さらに案内筒５ｂから摺動子５ａが無制限に延出することのないように、図１ないし図４によって理解できる通り、案内筒５ｂに穿設した左右一対の案内溝孔５ｆに、摺動子５ａから突設された各案内止螺杆５ｇを嵌装するようにしている。
【００１８】
従って、図１（Ａ）のようにベッド部３が不使用起立状態Ｙにあるときは、摺動子５ａが案内筒５ｂの下端口５ｅから前記の如く突出しているが、この際上記した案内止螺杆５ｇが案内溝孔５ｆの下端縁に係当し、この結果摺動子５ａは案内筒５ｂから抜出してしまうことがない。そして上記不使用起立状態Ｙから矢印Ｒ方向へベッド回動構成体２を回動降下させる場合には上記の回動降下操作が進行するにつれて、受承体３ｈが弾性体５ｄの弾発力に抗して、摺動子５ａを案内筒５ｂ内へ押し込んで行き、次第にベッド回動構成体２による回転モーメントが大となって行くことから、ベッド部３が使用横臥状態Ｘへ向けて下降して行き、ベッド部３に幼児が乗せられて荷重が加えられても、前記した通りストッパ部３ｃが下端縁４ｂに衝当することで、それ以上の降下は停止される。
なお図１にあって仮想線により示されているのは、図２により既説した如く別途合成樹脂製等により形成されたカバー６であり、ベッド回動構成体２における被取着腕部４の外側へ配装されており、従って図３に示されている状態にあってベッド部３が使用されることになる。
【００１９】
【発明の効果】
本発明は以上のようにして構成されているから、壁面に対し軽量な取着部を取着し、これに簡易迅速に着脱自在とした収納式幼児用ベッドにおけるベッド回動構成体にあって、請求項１ではこれをベッド部とこれに枢着の被取着板部と、当該両部間に連枢の付勢手段とによって構成すると共に、当該付勢手段につき単なるスプリングやガススプリングを用いるのではなしに、被取着腕部の案内筒に内装の弾性体により、摺動子が案内筒から突出自在とし、この摺動子をベッド部の後側端部に設けた受承体に押当するようにしたので、スプリングによる従来例に比し、その組立作業を簡易迅速に行い得ると共に耐久性を向上でき、かつ安定な作動を確保でき、またガススプリングが高価なものとなる欠陥を解消することができる。
【００２０】
さらに請求項２に係るベッド回動構成体によるときは、請求項１における効果を発揮し得るだけでなく、ベッド部にストッパ部を設けることで、ベッド部の使用横臥状態を確実に自ら保持でき、さらに摺動子の先端に受承体の外周弧面が摺接するようにしたので、耐久性と円滑な作動が保証され、しかも摺動子がその案内螺杆を案内筒の案内溝孔に昇降自在なるよう係嵌することで摺動子の不本意な延出を阻止して、被取着腕部に対するベッド部の円滑なる回動につき、高い信頼性を確保することができる。
【図面の簡単な説明】
【図１】本発明に係るベッド回動構成体を備えた収納式幼児用ベッドの壁面取着状態を示し、（Ａ）はその不使用起立状態における一部切欠の縦断側面図で、（Ｂ）は使用横臥状態における一部切欠の縦断側面図である。
【図２】上記収納式幼児用ベッドの分解斜視図である。
【図３】同上収納式幼児用ベッドの使用状態を示した斜視図である。
【図４】上記収納式幼児用ベッドにおけるベッド回動構成体の床板部を除去し、被取着部腕部を付勢手段の付勢力に抗してベッド部に対し起立状態とした場合の一部を切欠した平面図である。
【図５】図２におけるＡ−Ａ線横断矢視図である。
【図６】同上収納式幼児用ベッドにおけるベッド回動構成体の床板部を除去し、付勢手段により被取着部が平伏重装状態にある場合の一部を切欠した平面図である。
【図７】（Ａ）は上記収納式幼児用ベッドにおける一構成部材としての取着部を示し、その一部を切欠した壁面押し当て状態における正面図で、（Ｂ）は当該取着部に別途螺子止めにより付設する固定用板の正面図である。
【図８】本発明における壁面に取着した取着部にベッド回動構成体を係止する直前における縦断側面図である。
【図９】従来の収納式幼児用ベッドの一例を示した壁面取着状態を示す側面略示説明図である。
【符号の説明】
２    ベッド回動構成体
３    ベッド部
３ａ  後側端部
３ｂ  横向軸杆
３ｈ  受承体
３ｋ  外周弧面
４    被取着腕部
５    付勢手段
５ａ  摺動子
５ｂ  案内筒
５ｃ  上位止部
５ｄ  弾性体
５ｅ  下端口
Ｗ    壁面
Ｘ    使用横臥状態
Ｙ    不使用起立状態
【図１】
0003957991.tif 000002
【図２】
0003957991.tif 000003
【図３】
0003957991.tif 000004
【図４】
0003957991.tif 000005
【図５】
0003957991.tif 000006
【図６】
0003957991.tif 000007
【図７】
0003957991.tif 000008
【図８】
0003957991.tif 000009
【図９】
0003957991.tif 000010